【手続補正書】
【提出日】平成24年5月8日(2012.5.8)
【手続補正１】
【補正対象書類名】明細書
【補正対象項目名】０１４６
【補正方法】変更
【補正の内容】
【０１４６】
【表１】
2011526307.tif 000001
本願発明に関連する発明の実施形態について以下に列挙する。
[実施形態１]
重合化されたミクロ構造化表面を含む、輝度向上フィルムであって、前記ミクロ構造は一般式
ＲｘＪＨ４−ｘ＋ −Ａ［ＳＯ２Ｒｆ］ｍ
を有する帯電防止剤を含む重合性樹脂組成物の反応生成物を含み、式中、
ｘは３〜４の範囲であり、
Ｒは独立してカテナリー酸素原子又は少なくとも１つのヒドロキシル末端基を含むか又は含まないＣ１〜Ｃ１２アルキル基であり、
Ｊは窒素又はリンであり、
Ａは窒素又は炭素であり、
Ｒｆは独立してフッ素化Ｃ１〜Ｃ４アルキル基であり、
ｍは２〜３の範囲である、輝度向上フィルム。
[実施形態２]
前記帯電防止剤が約０．５重量％〜約１５重量％固体の範囲の量で存在する、実施形態１に記載の輝度向上フィルム。
[実施形態３]
前記帯電防止剤が約３重量％〜約５重量％固体の範囲の量で存在する、実施形態１に記載の輝度向上フィルム。
[実施形態４]
２１．１℃（７０°Ｆ）及び５０％の相対湿度で試験されたときに電荷減衰が１．５秒未満である、実施形態１〜３のいずれか一項に記載の輝度向上フィルム。
[実施形態５]
２１．１℃（７０°Ｆ）及び５０％の相対湿度で試験されたときに電荷減衰が約０．５秒未満である、実施形態１〜３のいずれか一項に記載の輝度向上フィルム。
[実施形態６]
前記ミクロ構造が、前記ミクロ構造とは異なる組成を有するベースフィルム層に配置される、実施形態１〜５のいずれか一項に記載の輝度向上フィルム。
[実施形態７]
前記ベースフィルム層がプライマーを更に含む、実施形態６に記載の輝度向上フィルム。
[実施形態８]
前記ベースフィルム層がポリエステルを含む、実施形態６又は７に記載の輝度向上フィルム。
[実施形態９]
前記ベースフィルム層が偏光フィルムである、実施形態８に記載の輝度向上フィルム。
[実施形態１０]
前記プライマーがスルホン化ポリエステルを含む、実施形態８又は９に記載の輝度向上フィルム。
[実施形態１１]
前記ミクロ構造が、前記ベースフィルム層に対して少なくとも９０％のクロスハッチ付着性を呈する、実施形態６〜１０のいずれか一項に記載の輝度向上フィルム。
[実施形態１２]
Ｒの炭素原子の合計が少なくとも５である、実施形態１〜１１のいずれか一項に記載の輝度向上フィルム。
[実施形態１３]
ｘが４であり、Ｒの炭素原子の合計が少なくとも７である、実施形態１２に記載の輝度向上フィルム。
[実施形態１４]
少なくとも１つのＲｆがＣＦ３である、実施形態１２又は１３に記載の輝度向上フィルム。
[実施形態１５]
少なくとも１つのＲがメチルであり、他のＲ基が少なくとも２つの炭素原子を含む、実施形態１２〜１４のいずれか一項に記載の輝度向上フィルム。
[実施形態１６]
前記帯電防止剤が、（Ｃ２Ｈ５）３Ｎ（ＣＨ３）＋ −Ｎ（ＳＯ２ＣＦ３）２、（Ｃ４Ｈ９）３Ｎ（ＣＨ３）＋ −Ｎ（ＳＯ２ＣＦ３）２及びこれらの混合物からなる群から選択される、実施形態１５に記載の輝度向上フィルム。
[実施形態１７]
ｘが３であり、各Ｒが少なくとも２つの炭素原子を含む、実施形態１２に記載の輝度向上フィルム。
[実施形態１８]
前記帯電防止剤が、（Ｃ２Ｈ５）３ＮＨ＋ −Ｎ（ＳＯ２ＣＦ３）２、（Ｃ２Ｈ５）３ＮＨ＋ −Ｎ（ＳＯ２Ｃ４Ｆ９）２、（Ｃ２Ｈ５）３ＮＨ＋ −Ｎ（ＳＯ２ＣＦ３）（ＳＯ２Ｃ４Ｆ９）、（Ｃ２Ｈ５）３ＮＨ＋ −Ｃ（ＳＯ２ＣＦ３）３、（Ｃ２Ｈ５）３ＮＨ＋ −Ｎ（ＳＯ２Ｃ２Ｆ５）２及びこれらの混合物からなる群から選択される、実施形態１７に記載の輝度向上フィルム。
[実施形態１９]
ｘが４であり、Ｒの炭素原子の合計が少なくとも８である、実施形態１２に記載の輝度向上フィルム。
[実施形態２０]
前記帯電防止剤が、（Ｃ４Ｈ９）４Ｎ＋ −Ｎ（ＳＯ２ＣＦ３）２、（Ｃ２Ｈ５）４Ｎ＋ −Ｎ（ＳＯ２ＣＦ３）２、（Ｃ４Ｈ９）４Ｎ＋ −Ｃ（ＳＯ２ＣＦ３）３、（Ｃ６Ｈ１３）４Ｎ＋ −Ｎ（ＳＯ２Ｃ２Ｆ５）２、（Ｃ１２Ｈ２５）（ＣＨ３）３Ｎ＋ −Ｎ（ＳＯ２Ｃ２Ｆ５）２及びこれらの混合物からなる群から選択される、実施形態１９に記載の輝度向上フィルム。
[実施形態２１]
Ｊが窒素である、実施形態１〜２０のいずれか一項に記載の輝度向上フィルム。
[実施形態２２]
Ｊがリンであり、ｘが４である、実施形態１〜２１のいずれか一項に記載の輝度向上フィルム。
[実施形態２３]
Ｒが少なくとも１つのヒドロキシル末端基を含む、実施形態１〜２２のいずれか一項に記載の輝度向上フィルム。
[実施形態２４]
重合性樹脂組成物が少なくとも１つのカルボン酸を更に含む、実施形態１〜２３のいずれか一項に記載の輝度向上フィルム。
[実施形態２５]
重合性樹脂が少なくとも１つのモノカルボン酸を含む、実施形態２４に記載の輝度向上フィルム。
[実施形態２６]
前記モノカルボン酸が、アクリル酸、メタクリル酸及びこれらの混合物からなる群から選択される、実施形態２５に記載の輝度向上フィルム。
[実施形態２７]
少なくとも２つの芳香環を含むジ（メタ）アクリレートモノマーを少なくとも１つと、反応性希釈剤と、一般式
ＲｘＪＨ４−ｘ＋ −Ａ［ＳＯ２Ｒｆ］ｍ
（式中、
ｘは３〜４の範囲であり、
Ｒは独立してカテナリー酸素原子又は少なくとも１つのヒドロキシル末端基を含むか又は含まないＣ１〜Ｃ１２アルキル基であり、
Ｊは窒素又はリンであり、
Ａは窒素原子又は炭素原子であり、
Ｒｆは独立してフッ素化Ｃ１〜Ｃ４アルキル基であり、
ｍは２〜３の範囲である）を有する帯電防止剤と、を含む重合性樹脂。
[実施形態２８]
重合化されたミクロ構造化表面を含む、ミクロ構造化フィルム物品であって、前記ミクロ構造は一般式
ＲｘＪＨ４−ｘ＋ −Ａ［ＳＯ２Ｒｆ］ｍ
（式中、
ｘは３〜４の範囲であり、
Ｒは独立してカテナリー酸素原子又はヒドロキシル末端基を含むか又は含まないＣ１〜Ｃ１２アルキル基であり、
Ｊは窒素又はリンであり、
Ａは窒素原子又は炭素原子であり、
Ｒｆは独立してフッ素化Ｃ１〜Ｃ４アルキル基であり、
ｍは２〜３の範囲である）を有する帯電防止剤を含む重合性樹脂組成物の反応生成物を含む、ミクロ構造化フィルム物品。
【手続補正２】
【補正対象書類名】特許請求の範囲
【補正対象項目名】全文
【補正方法】変更
【補正の内容】
【特許請求の範囲】
【請求項１】
重合化されたミクロ構造化表面を含む、輝度向上フィルムであって、前記ミクロ構造は一般式
ＲｘＪＨ４−ｘ＋ −Ａ［ＳＯ２Ｒｆ］ｍ
を有する帯電防止剤を含む重合性樹脂組成物の反応生成物を含み、式中、
ｘは３〜４の範囲であり、
Ｒは独立してカテナリー酸素原子又は少なくとも１つのヒドロキシル末端基を含むか又は含まないＣ１〜Ｃ１２アルキル基であり、
Ｊは窒素又はリンであり、
Ａは窒素又は炭素であり、
Ｒｆは独立してフッ素化Ｃ１〜Ｃ４アルキル基であり、
ｍは２〜３の範囲である、輝度向上フィルム。
【請求項２】
前記帯電防止剤が約０．５重量％〜約１５重量％固体の範囲の量で存在する、請求項１に記載の輝度向上フィルム。
【請求項３】
Ｒが少なくとも１つのヒドロキシル末端基を含む、請求項１または２に記載の輝度向上フィルム。
【請求項４】
重合性樹脂組成物が少なくとも１つのカルボン酸を更に含む、請求項１〜３のいずれか一項に記載の輝度向上フィルム。
【請求項５】
重合化されたミクロ構造化表面を含む、ミクロ構造化フィルム物品であって、前記ミクロ構造は一般式
ＲｘＪＨ４−ｘ＋ −Ａ［ＳＯ２Ｒｆ］ｍ
（式中、
ｘは３〜４の範囲であり、
Ｒは独立してカテナリー酸素原子又はヒドロキシル末端基を含むか又は含まないＣ１〜Ｃ１２アルキル基であり、
Ｊは窒素又はリンであり、
Ａは窒素原子又は炭素原子であり、
Ｒｆは独立してフッ素化Ｃ１〜Ｃ４アルキル基であり、
ｍは２〜３の範囲である）を有する帯電防止剤を含む重合性樹脂組成物の反応生成物を含む、ミクロ構造化フィルム物品。